(57)【要約】      （修正有）【課題】エレベータ自体の使用頻度に関わらず、乗場毎に待ち客がいない閑散時に表示灯を消灯でき、待ち客検知センサからの情報とエレベータ運行管理部からの情報とにより表示器を木目細かに制御し、節電効果を発揮するエレベータ表示装置を提供する。【解決手段】各階乗場に設けられ乗場の待ち客に対して情報を表示する表示器１３〜２７、この表示器の点灯及び消灯を制御する点灯制御部、エレベーターの動作を制御するエレベーター運行管理部、及び上記各階乗場に設けられ待ち客を検知する待ち客検知センサ３４〜３９を備え、上記待ち客検知センサからの情報と上記エレベーター運行管理部からの情報とにより、各階乗場毎に、上記表示器の点灯及び消灯を制御する。【選択図】図１
2006347751.tif 000002
【特許請求の範囲】
【請求項１】
各階乗場に設けられ乗場の待ち客に対して情報を表示する表示器、この表示器の点灯及び消灯を制御する点灯制御部、エレベーターの動作を制御するエレベーター運行管理部、及び上記各階乗場に設けられ待ち客を検知する待ち客検知センサを備え、
上記待ち客検知センサからの情報と上記エレベーター運行管理部からの情報とにより、各階乗場毎に、上記表示器の点灯及び消灯を制御することを特徴とするエレベーター装置。
【請求項２】
上記表示器は、エレベーターの行先階を表示する行先表示器、エレベーターの運行情報を表示するインフォメーション機器、及びエレベーターと無関係な一般情報を表示するインフォメーション機器のいずれか少なくともひとつの機器であることを特徴とする請求項１記載のエレベーター装置。
【請求項３】
各階乗場に設けられ乗場の待ち客に対して情報を表示する表示器、この表示器の点灯及び消灯を制御する点灯制御部、エレベーターの動作を制御するエレベーター運行管理部、上記各階乗場に設けられ待ち客を検知する待ち客検知センサ、及び上記各階乗場に設けられ待ち客により操作される行先ボタンを備え、
上記待ち客検知センサが待ち客を検知したとき、上記行先ボタンの操作前に、当該乗場の表示器を点灯状態とすることを特徴とするエレベーター装置。
【請求項４】
各階乗場に設けられ乗場の待ち客に対して情報を表示する表示器、この表示器の点灯及び消灯を制御する点灯制御部、エレベーターの動作を制御するエレベーター運行管理部、上記各階乗場に設けられ待ち客を検知する待ち客検知センサ、及び上記各階乗場に設けられ待ち客により操作される行先ボタンを備え、
上記表示器が点灯状態にある乗場において、上記待ち客が居らず、上記行先ボタンの操作が無く、乗りかごの到着がない状態が所定時間継続した場合、当該乗場の表示器を消灯状態とすることを特徴とするエレベーター装置。
【請求項５】
各階乗場に設けられ乗場の待ち客に対して情報を表示する表示器、この表示器の点灯及び消灯を制御する点灯制御部、エレベーターの動作を制御するエレベーター運行管理部、及び上記各階乗場に設けられ待ち客を検知する待ち客検知センサを備え、
上記表示器が消灯状態の乗場に乗りかごが到着したとき、当該乗場の表示器を点灯状態とすることを特徴とするエレベーター装置。
【発明の詳細な説明】
【技術分野】
【０００１】
この発明は、エレベーターの各階乗場に待ち客を検知する装置を設置し、待ち客の有無によって各階乗場の表示器の点灯及び消灯の制御を階床毎に行うエレベーター装置に関するものである。
【背景技術】
【０００２】
従来の乗場表示器の点灯及び消灯を制御する装置においては、例えば特許文献１に示されるものがある。この従来技術は．乗場の表示器に寿命を延ばす設定を行ないエレベーターの運行状況の閑散時に、その表示器を消灯（案内表示を停止あるいは制限表示）させるものである。
又、特許文献２は、照明の点灯、消灯に関するものであるが、この従来技術は、待ち客検知手段と乗場を照らす照明装置を持ち、例えば待ち伏せの犯罪抑制のため、乗りかご到着前の一定時間から出発後の一定時間まで照明を点灯し、通常時は消灯するものである。
特許文献３は、エレベーターの乗場のセンサが人の移動を検知している間、点灯表示するものである。又、特許文献４は、エレベーター制御手段とこの制御手段から受け取った情報を表示する表示装置を備え、利用客の有無により表示装置の点灯及び消灯を制御するものである。
【０００３】
【特許文献１】特開平５−２５４７４７号公報
【特許文献２】特開平１１−２２８０３６号公報
【特許文献３】特開２００３−１１２８６４号公報
【特許文献４】特開平５−１９３８５１号公報
【発明の開示】
【発明が解決しようとする課題】
【０００４】
特許文献１に示された従来の乗場表示器の点灯及び消灯を制御する装置においては、乗場の表示器の寿命を延ばす階床を設定する必要があり、エレベーターの使用頻度の少ない閑散時には設定されている階床の乗場の表示器をすべて消灯してしまう。又エレベーターの使用頻度が高い状態においても閑散としている階床については消灯制御を行われず、この乗場表示器が消灯されている階床に待ち客が現れたときには、表示器は消灯のままとなってしまう。又乗場の待ち客を検知したときに、乗場の照明を点灯させる特許文献２、３の装置においては、待ち客の有無によって照明装置以外の乗場の表示器の点灯及び消灯の制御を行うことができない。特許文献４の装置においては、待ち客（利用者）の有無を検知することによって、表示装置を単純に点灯及び消灯制御するのみで、この発明のような木目細かな制御は行われていない等の問題があった。
この発明は、上記のような問題点を解消するためになされたものである。
【課題を解決するための手段】
【０００５】
この発明に係わるエレベーター装置は、各階乗場に設けられ乗場の待ち客に対して情報を表示する表示器、この表示器の点灯及び消灯を制御する点灯制御部、エレベーターの動作を制御するエレベーター運行管理部、及び上記各階乗場に設けられ待ち客を検知する待ち客検知センサを備え、
上記待ち客検知センサからの情報と上記エレベーター運行管理部からの情報とにより、各階乗場毎に、上記表示器の点灯及び消灯を制御するものである。
【発明の効果】
【０００６】
この発明のエレベーター装置は、エレベーター自体の使用頻度に関わらず、乗場毎に、待ち客がいない閑散時に表示器を消灯させることができ、上記待ち客検知センサからの情報と上記エレベーター運行管理部からの情報とにより表示器を木目細かに制御するので電力の消費がおさえられ、節電効果を発揮できる。
又、乗場が閑散時で表示器が消灯状態であっても、乗場に待ち客が現れたときには、その待ち客を検知し、乗場の表示器を点灯させることによって、待ち客に不便な状態とならないようにすることができ、防犯効果もあげることができる。
【発明を実施するための最良の形態】
【０００７】
以下、図面に基づいて、この発明の実施の形態１を説明する。
なお、各図間において、同一符号は同一あるいは相当部分を示す。
【０００８】
実施の形態１．
図１は、この発明の実施の形態１におけるエレベーター装置の全体構成図である。
図１において、乗場１〜３には、それぞれエレベーターの出入口４〜１２が設置され、それぞれの乗場毎に、後述する表示器、行先を指定する行先ボタン２８〜３３、待ち客の有無を検知する待ち客検知センサ３４〜３９などが設けられている。
上記表示器は、エレベーターの行先階を表示する行先階表示器１３〜２１、エレベーター運行の情報・エレベーターに無関係な一般情報（ビル内の行事案内、天気予報）を案内表示するインフォメーション機器２２〜２７などで構成されている。
待ち客検知センサ３４〜３９は、人感センサや赤外線センサであり、待ち客の動きを検知して待ち客の有無を検知するセンサで、設置場所については、図１では天井となっているが、乗場に待ち客が現れたことを検知することができる場所であれば、乗場の壁や床に設置しても良い。
【０００９】
図２は、この発明の実施の形態１におけるエレベーター装置のブロック図である。
図２において、４０〜４２は、図１の１〜３に相当する乗場、４３〜４８は、図１の３４〜３９に相当する待ち客検知センサ、４９〜５１は、図１の２８〜３３に相当する行先ボタン、５２〜５４は、図１の１３〜２１に相当する行先表示器、５５〜５７は、図１の２２〜２７に相当するインフォメーション機器である。
【００１０】
５８は、機械室を示し、この機械室にはエレベーターの運行を管理するエレベーター運行管理装置５９が設けられ、このエレベーター運行管理装置５９は、エレベーターの運行管理手段６０を有するエレベーター運行管理部、表示器５２〜５７など乗場機器の点灯制御手段６１を有する点灯制御部などで構成され、更にこの点灯制御部は、各階乗場毎に点灯制御手段６２〜６４を有している。
又、この各階乗場の点灯制御手段６２〜６４は、各乗場４０〜４２の待ち客検知センサ４３〜４８の待ち客の有無の情報、各乗場４０〜４２の行先ボタン４９〜５１の乗場呼びの有無、運行管理手段６０のかご到着情報などの情報にもとづいて、各乗場４０〜４２の行先階表示器５２〜５４及びインフォメーション機器５５〜５７などの表示器に、点灯及び消灯の指令を送信するものである。
【００１１】
図３は、図２における各乗場の点灯制御手段の点灯及び消灯動作を説明するチャート図である。
図３において、
（１）  乗場１〜３に待ち客がいない状態で、且つエレベーター（乗りかご）の到着がない状態が一定時間続くような閑散時には、各乗場の行先階表示器１３〜２１、インフォメーション機器２２〜２７などの表示器は消灯状態となっている。
（２）  このとき、例えば乗場１に人が近付いて来ると、待ち客検知センサ３４、３５が待ち客の発生を検知する（Ｓ６５）。この情報が乗場１の点灯制御手段６２に伝わる。このとき、待ち客検知センサ３４、３５に検知された人は、まだ行先ボタン２８、２９の位置までたどり着いていないため、乗場呼びは発生していないが、乗場の行先階表示器１３〜１５、インフォメーション機器２２、２３などの表示器が消灯状態（Ｓ６８のＹＥＳ）であれば、行先ボタン２８、２９の乗場呼びの有無に関係なく、点灯制御手段６２は、行先表示器１３〜１５及びインフォメーション機器２２、２３などの表示器に点灯指令を行い、この乗場の表示器を点灯する（Ｓ６９）。
（３）  これにより、乗場１の行先表示器１３〜１５とインフォメーション機器２２、２３などの表示器が点灯状態となり、乗場１に近付いてきた人に行先表示やエレベーターの運行状態や一般情報のサービスを行う。
【００１２】
（４）  又、乗場１に人が近付いてきたとき、待ち客検知センサ３４、３５が待ち客の発生を検知（Ｓ６５）した後、且つ乗場１の点灯制御手段６２が乗場の表示器の点灯指令（Ｓ６９）を行った後、待ち客検知センサ３４、３５に検知された人が行先ボタン２８、２９を操作せずに立ち去ってしまった場合で、待ち客検知センサ３４、３５が人を非検知の状態で且つ乗場呼びが存在しない状態で且つエレベーター（乗りかご）が乗場１に到着していない状態が一定時間継続されたときには（Ｓ７０のＹＥＳ）、乗場１の点灯制御手段６２は、点灯状態をチェックの上（Ｓ７１のＹＥＳ）、この乗場の表示器の消灯指令を行い（Ｓ７２）、乗場１の行先表示器１３〜１５とインフォメーション機器２２、２３などの表示器を消灯状態にする。
（５）  乗場１で待ち客検知センサ３４、３５に検知された人が、行先ボタン２８、２９を操作して乗場呼びを発生させた場合、待ち客検知センサ３４、３５に検知された人は、エレベーターに乗るために乗場１に静止していることになるため、乗場呼びが存在（Ｓ６６がＹＥＳ）している限り乗場の表示器は点灯状態を継続する（Ｓ６９）。
（６）  なお、待ち客検知センサ34，35に検知された人が、エレベーターに乗るためにその場所に立ち止まり静止している訳ではなく、しかも行先ボタンを操作しない状態が続く場合でも、その人が立ち去るまでは点灯状態とする。
【００１３】
（７）  次に、例えば乗場２に待ち客がいない状態で、行先表示器１６〜１８及びインフォメーション機器２４、２５などの表示器が消灯状態のとき、乗場２の点灯制御手段６３は、待ち客検知センサ３６、３７からの情報により待ち客が存在しないことを判定し（Ｓ６５のＮＯ）、行先ボタン３０、３１からの情報により乗場呼びが存在しないことを判定する（Ｓ６６のＮＯ）。このとき、エレベーター（乗りかご）が乗場２に到着した場合、乗場に待ち客はいない状態であるがエレベーターから降車してくる人が発生するため、乗場２の点灯制御手段６３は、運行管理手段６０からのエレベーターの到着情報により、待ち客検知センサ３６、３７が人を検知する前の、エレベーター（乗りかご）が到着した時点（Ｓ６７のＹＥＳ）で、乗場の表示器に点灯指令を行う（Ｓ６９）。
これにより、乗場２の行先表示器１６〜１８とインフォメーション機器２４、２５などの表示器が点灯状態となり、エレベーターで乗場２に到着した人に、行先表示やエレベーターの運行状態やエレベーターに無関係な一般情報のサービスを行う。
（８）  乗場１や乗場２に待ち客が頻繁に発生し、乗場１と乗場２間の待ち客の行き来も頻繁にある状態のとき、乗場１や乗場２の行先表示器１３〜１８及びインフォメーション機器２２〜２５などの表示器は、ほとんど点灯状態となっている。しかしながら、乗場３においては待ち客が発生せず、しかも乗場３にエレベーターが到着する状況でない場合、乗場３の点灯制御手段６４は、Ｓ７０で、待ち客検知センサ３８、３９からの情報により待ち客が存在しないことを判定し、行先ボタン３２、３３からの情報により乗場呼びが存在しないことを判定し、且つ運行管理手段６０からの乗場３に到着するエレベーターが存在しないという情報により、エレベーター（乗りかご）が到着しないことを判定し、更にこの状態が一定時間継続しているときには、点灯状態をチェックの上（Ｓ７１のＹＥＳ）、乗場の表示器の消灯指令を行う（Ｓ７２）。
（９）  これにより、乗場３に待ち客が発生せず、また乗場３にエレベーターで到着する人もいない状態においては、乗場３の行先表示器１９〜２１とインフォメーション機器２６、２７などの表示器は消灯状態とすることができる。したがって、エレベーターの動作頻度や他の乗場の利用頻度に関わらず、乗場３のように、閑散としている乗場の表示器のみを消灯状態とすることができる。
【図面の簡単な説明】
【００１４】
【図１】この発明の実施の形態１におけるエレベーター装置の全体構成図である。
【図２】この発明の実施の形態１におけるエレベーター装置のブロック図である。
【図３】各乗場における点灯制御手段の点灯及び消灯動作を説明するチャート図である。
【符号の説明】
【００１５】
１〜３  乗場
４〜１２  エレベーターの出入口
１３〜２１  行先表示器
２２〜２７  インフォメーション機器
２８〜３３  行先ボタン
３４〜３９  待ち客検知センサ
４０〜４２  乗場
４３〜４８  待ち客検知センサ
４９〜５１  行先ボタン
５２〜５４  行先表示器
５５〜５７  インフォメーション機器
５８  機械室
５９  エレベーター運行管理装置
６０  運行管理手段
６１  乗場機器の点灯制御手段
６２〜６４  各階乗場毎の点灯制御手段
【図１】
2006347751.tif 000003
【図２】
2006347751.tif 000004
【図３】
2006347751.tif 000005